(57)【要約】【課題】携帯無線装置に悪影響を及ぼすおそれがある距離センサを使用することなく、ユーザの手によって覆われていない利得の良好なアンテナを使用できるようにする。【解決手段】各センサ8,10,12,14が、それぞれ異なる装置状態を検出する。テーブル７には、予め定められた検出結果の組み合わせと、その組み合わせにおいて使用するアンテナを示す使用アンテナ情報との対が登録されている。ここで、検出結果の組み合わせは、ユーザが利用している機能に対応したものとなり、ユーザが利用している機能によって、ユーザの手によって覆われる部分が異なるものとなる。制御装置５は、センサ8,10,12,14の検出結果に基づいてテーブル７を検索することより使用するアンテナを決定し、この決定したアンテナを指定した制御信号を切り替えスイッチ３に対して出力する。切り替えスイッチ３は、制御信号によって指定されたアンテナを送受信回路４と接続する。【選択図】図１
2008193288.tif 000002
【特許請求の範囲】
【請求項１】
複数のアンテナと、
送受信回路と、
入力される制御信号によって指定されたアンテナと前記送受信回路とを接続する切り替えスイッチと、
それぞれが異なる装置状態を検出する複数のセンサと、
予め定められた検出結果の組み合わせと、その組み合わせにおいて使用するアンテナを示す使用アンテナ情報との対が登録されたテーブルと、
前記複数のセンサの検出結果に基づいて前記テーブルを検索することにより使用するアンテナを決定し、該決定したアンテナを指定した制御信号を前記切り替えスイッチに対して出力する制御装置とを備えたことを特徴とする携帯無線装置。
【請求項２】
請求項１記載の携帯無線装置において、
前記使用アンテナ情報は、使用するアンテナを固定的に指定するものであることを特徴とする携帯無線装置。
【請求項３】
請求項１記載の携帯無線装置において、
前記使用アンテナ情報は、使用するアンテナを固定的に指定するものと、使用するアンテナを切り替えることを指示するものとを含むことを特徴とする携帯無線装置。
【請求項４】
請求項１乃至３の何れか１項に記載の携帯無線装置において、
前記制御装置は、前記複数のセンサの検出結果の組み合わせが前記テーブルに登録されていない場合は、予め定められているアンテナを使用すると決定することを特徴とする携帯無線装置。
【請求項５】
請求項１乃至４の何れか１項に記載の携帯無線装置において、
自装置の姿勢が水平であるか垂直であるかを検出する姿勢センサと、
スイッチが高頻度で操作されているか否かを検出するスイッチセンサと、
音声が高頻度で入力されているか否かを検出する音声センサと、
カメラが動作中であるか否かを検出するカメラセンサとの内の、少なくとも２つ以上を備えたことを特徴とする携帯無線装置。
【請求項６】
請求項１乃至５の何れか１項に記載の携帯無線装置において、
前記複数のアンテナが内蔵アンテナであることを特徴とする携帯無線装置。
【請求項７】
複数のアンテナと送受信回路とを備えた携帯無線装置におけるアンテナ切り替え方法であって、
複数のセンサが、それぞれ異なる装置状態を検出し、
制御装置が、前記複数のセンサの検出結果に基づいて、予め定められた検出結果の組み合わせとその組み合わせにおいて使用するアンテナを示す使用アンテナ情報との対が登録されたテーブルを検索することにより使用するアンテナを決定し、該決定したアンテナと前記送受信回路とを接続することを特徴とするアンテナ切り替え方法。
【請求項８】
複数のアンテナと、送受信回路と、入力される制御信号によって指定されたアンテナと前記送受信回路とを接続する切り替えスイッチと、それぞれが異なる装置状態を検出する複数のセンサと、予め定められた前記複数のセンサの検出結果の組み合わせと、その組み合わせにおいて使用するアンテナを示す使用アンテナ情報との対が登録されたテーブルとを備えたコンピュータを、
前記複数のセンサの検出結果に基づいて前記テーブルを検索することより使用するアンテナを決定し、該決定したアンテナを指定した制御信号を前記切り替えスイッチに対して出力する制御装置として機能させるためのプログラム。
【発明の詳細な説明】
【技術分野】
【０００１】
本発明は、携帯電話装置などのようにアンテナと送受信回路を備えた携帯無線装置に関し、特に、携帯無線装置が備えている複数のアンテナの中から利得の高いアンテナを選択して使用することにより、安定した無線送受信を行えるようにした携帯無線装置に関する。
【背景技術】
【０００２】
携帯電話機などの携帯無線装置のアンテナとしては、その筐体から突出可能な露出型と、筐体に内蔵された内蔵型の２種類がある。
【０００３】
露出型は、一般に、筐体から突出させた場合には内蔵型に比べて高い送受信感度を得ることができる。一方、内蔵型は、露出型に比べて送受信感度に劣る場合があるものの、筐体表面に凸部が生じないために、デザイン的にメリットがあると共に携帯性にも優れる。更に、ユーザによるアンテナの突出、収納作業が不要であるため、操作性にも優れる。
【０００４】
しかし、内蔵型の場合は、筐体の外観を見ただけでは、アンテナの内蔵位置を認識することが難しいため、ユーザが無意識のうちにアンテナを手で覆ってしまう場合がある。このような場合には、アンテナ利得が低下し、安定した送受信を行うことができなくなってしまうことがある。
【０００５】
そこで、このような問題点を解決するため、複数のアンテナを設けると共に、各アンテナ毎に電波障害物までの距離を検出する距離センサを設け、電波障害物までの距離が最も遠いアンテナを使用するようにした技術が従来から提案されている（例えば、特許文献１参照）。
【０００６】
また、これ以外にも、複数のアンテナを設け、使用するアンテナを切り替えることによりアンテナ利得の低下を防止するようにした技術としては、次のような技術も知られている（例えば、特許文献２、３参照）
【０００７】
特許文献２に記載されている従来の技術は、第１、第２のアンテナと、第２のアンテナに近くに配置されたカメラの状態を検出する検出部とを設け、カメラが動作中の場合は第１のアンテナを使用し、動作中でない場合は第２のアンテナを使用するようにしている。
【０００８】
特許文献３に記載されている従来の技術は、第１、第２のアンテナと、携帯無線装置の傾きを検出するセンサとを設け、センサによって検出された傾きに基づいて、ユーザが右耳、左耳のどちらに携帯無線装置を当てて通話を行っているのかを認識し、右耳に当てて通話を行っていると認識した場合には、第１のアンテナを使用し、左耳に当てて通話を行っていると認識した場合には、第２のアンテナを使用することにより、ユーザの頭部によるアンテナ利得の低下を防止するようにしている。
【０００９】
【特許文献１】特開２００６−２７９６４９号公報
【特許文献２】特開２００４−２８２４８０号公報
【特許文献３】特開２００５−２２３８０２号公報
【発明の開示】
【発明が解決しようとする課題】
【００１０】
特許文献１に記載されている従来の技術によれば、電波障害物までの距離が最も遠い、利得の最も高いアンテナを利用して送受信を行うことができるため、電波障害物となるユーザの手による悪影響を少なくすることができる。しかしながら、この従来の技術は、高周波を発生する距離センサが必要になるため、高周波が携帯無線装置に悪影響を及ぼすおそれがある。
【００１１】
一方、特許文献２に記載されている従来の技術によれば、カメラ動作時に発生する高周波成分による悪影響を低減することが可能になるが、ユーザの手によってアンテナが覆われてしまうことによるアンテナ利得の低下を防止することはできない。
【００１２】
また、特許文献３に記載されている従来の技術によれば、ユーザの頭部によるアンテナ利得の低下を防止することはできるが、ユーザの手によってアンテナが覆われてしまうことによるアンテナ利得の低下を防止することはできない。
【００１３】
〔発明の目的〕
そこで、本発明の目的は、携帯無線装置に悪影響を及ぼす距離センサを使用せずに、利得の良いアンテナを利用して無線送受信を行えるようにすることにある。
【課題を解決するための手段】
【００１４】
本発明にかかる第１の携帯無線装置は、
複数のアンテナと、
送受信回路と、
入力される制御信号によって指定されたアンテナと前記送受信回路とを接続する切り替えスイッチと、
それぞれが異なる装置状態を検出する複数のセンサと、
予め定められた前記複数のセンサの検出結果の組み合わせと、その組み合わせにおいて使用するアンテナを示す使用アンテナ情報との対が登録されたテーブルと、
前記複数のセンサの検出結果に基づいて前記テーブルを検索することにより使用するアンテナを決定し、該決定したアンテナを指定した制御信号を前記切り替えスイッチに対して出力する制御装置とを備えたことを特徴とする。
【００１５】
本発明にかかる第２の携帯無線装置は、第１の携帯無線装置において、
前記使用アンテナ情報は、使用するアンテナを固定的に指定するものであることを特徴とする携帯無線装置。
【００１６】
本発明にかかる第３の携帯無線装置は、第１の携帯無線装置において、
前記使用アンテナ情報は、使用するアンテナを固定的に指定するものと、使用するアンテナを切り替えることを指示するものとを含むことを特徴とする。
【００１７】
本発明にかかる第４の携帯無線装置は、第１〜第３の何れかの携帯無線装置において、
前記制御装置は、前記複数のセンサの検出結果の組み合わせが前記テーブルに登録されていない場合は、予め定められているアンテナを使用すると決定することを特徴とする。
【００１８】
本発明にかかる第５の携帯無線装置は、第１〜第４の何れかの携帯無線装置において、
自装置の姿勢が水平であるか垂直であるかを検出する姿勢センサと、
スイッチが高頻度で操作されているか否かを検出するスイッチセンサと、
音声が高頻度で入力されているか否かを検出する音声センサと、
カメラが動作中であるか否かを検出するカメラセンサとの内の、少なくとも２つ以上を備えたことを特徴とする。
【００１９】
本発明にかかる第６の携帯無線装置は第１〜第５の何れかの携帯無線装置において、
前記複数のアンテナが内蔵アンテナであることを特徴とする。
【００２０】
本発明にかかるアンテナ切り替え方法は、
複数のアンテナと送受信回路とを備えた携帯無線装置におけるアンテナ切り替え方法であって、
複数のセンサが、それぞれ異なる装置状態を検出し、
制御装置が、前記複数のセンサの検出結果に基づいて、予め定められた前記複数のセンサの検出結果の組み合わせとその組み合わせにおいて使用するアンテナを示す使用アンテナ情報との対が登録されたテーブルを検索することにより使用するアンテナを決定し、該決定したアンテナと前記送受信回路とを接続することを特徴とする。
【００２１】
本発明にかかるプログラムは、
複数のアンテナと、送受信回路と、入力される制御信号によって指定されたアンテナと前記送受信回路とを接続する切り替えスイッチと、それぞれが異なる装置状態を検出する複数のセンサと、予め定められた前記複数のセンサの検出結果の組み合わせと、その組み合わせにおいて使用するアンテナを示す使用アンテナ情報との対が登録されたテーブルとを備えたコンピュータを、
前記複数のセンサの検出結果に基づいて前記テーブルを検索することより使用するアンテナを決定し、該決定したアンテナを指定した制御信号を前記切り替えスイッチに対して出力する制御装置として機能させる。
【００２２】
〔作用〕
各センサは、携帯無線装置の姿勢が平行であるか垂直であるか、スイッチが高頻度で操作されているか否か、カメラが動作中であるか否か、音声入力が高頻度で行われているか否かとかいった装置状態を検出する。各センサの検出結果の組み合わせは、携帯無線装置が有している複数の機能の内の、ユーザが現在利用している機能に対応したものとなる。また、ユーザが利用している機能により、ユーザの手によって覆われる部分は異なるものとなる。即ち、ユーザが利用している機能によって、良好な利得を得ることができるアンテナは異なるものとなる。
【００２３】
テーブルには、各センサの検出結果の組み合わせの内の予め定められている組み合わせ毎に、その組み合わせにおいて使用するアンテナを示す使用アンテナ情報が登録されている。即ち、テーブルには、携帯無線装置が備えている機能毎に、その機能を使用しているときに使用するアンテナを示す使用アンテナ情報が登録されている。制御回路は、このテーブルの内容と、各センサの検出結果とに基づいて、送受信回路と接続させるアンテナを決定し、この決定したアンテナを指定した制御信号を切り替えスイッチに対して出力する。従って、テーブルに、各センサの検出結果の組み合わせ毎に、その組み合わせに対応する機能を使用したときに最も良好な利得を得ることができるアンテナを示すアンテナ情報を登録しておけば、ユーザの手の影響を受けない、利得の高いアンテナを利用して安定した送受信を行うことが可能になる。
【発明の効果】
【００２４】
本発明によれば、携帯無線装置に悪影響を及ぼす距離センサを使用したりしなくとも、携帯無線装置に複数備えられているアンテナの内の利得の良いアンテナを利用して無線送受信を行うことが可能になる。その理由は、それぞれが異なる装置状態を検出する複数のセンサと、予め定められた検出結果の組み合わせとその組み合わせにおいて使用するアンテナを示す使用アンテナ情報との対が登録されたテーブルとを備え、上記複数のセンサの検出結果に基づいて上記テーブルを検索し、使用するアンテナを決定するようにしているからである。
【００２５】
即ち、ユーザが利用する機能により、ユーザの手によって覆われる部分は異なるものとなり、その結果、ユーザが利用する機能により、良好なアンテナ特性を得ることができるアンテナは異なるものとなる。ユーザが利用している機能は、装置状態を検出する複数のセンサの検出結果の組み合わせに対応するものとなり、上記複数のセンサは、装置状態を検出するものであるので、携帯無線装置に悪影響を及ぼさない。従って、上記した構成を備えることにより、携帯無線装置に悪影響を及ぼす距離センサを使用せずに、利得の良いアンテナを利用して無線送受信を行うことが可能になる。
【発明を実施するための最良の形態】
【００２６】
次に、本発明を実施するための最良の形態について図面を参照して詳細に説明する。
【００２７】
〔第１の実施の形態の構成の説明〕
図１および図２を参照すると、本発明の第１の実施の形態としての携帯無線装置が示されている。図１は携帯無線装置の内部構成例を示すブロック図、図２は携帯無線装置の外観図である。
【００２８】
図２を参照すると、携帯無線装置の筐体１００には、複数のスイッチ９と、マイクロフォン１１と、カメラ１３とが設けられている。
【００２９】
スイッチ９には、電源スイッチ、通話スイッチなど以外にも、ブラウザ使用時の操作されるスイッチが含まれる。
【００３０】
図１を参照すると、筐体１００の内部には、第１、第２のアンテナ１、２と、切り替えスイッチ３と、送受信回路４と、制御装置５と、テーブル７が格納された記憶装置６と、加速度センサ８と、スイッチセンサ１０と、マイクロフォン１１と、音声センサ１２と、カメラ１３と、カメラセンサ１４とが設けられている。
【００３１】
第１、第２のアンテナ１、２は、空間に電磁波を放射するほか、空間の電磁波を受信し、受信信号を切り替えスイッチ３を介して送受信回路４へ渡す。なお、本実施の形態では、第１、第２のアンテナ１、２は、それぞれ筐体１００の上部、下部に内蔵されている。
【００３２】
切り替えスイッチ３は、制御装置５から入力される制御信号に従って、第１、第２のアンテナ１、２の内の一方と送受信回路４とを接続する。本実施の形態では、制御装置５からの制御信号が“１”の場合は、第１のアンテナ１と送受信回路４とを接続し、“０”の場合は、第２のアンテナ２と送受信回路４とを接続する。
【００３３】
送受信回路４は、送信情報を変調して切り替えスイッチ３に入力し、また、切り替えスイッチ３を介して入力される受信信号を復調する。
【００３４】
加速度センサ８は、加速度を検出し、検出結果を制御装置に対して出力する。
【００３５】
スイッチセンサ１０は、複数設けられているスイッチ９の内の何れかが操作（オン）されると、制御装置５に対してスイッチ操作検出信号を出力する。
【００３６】
音声センサ１２は、マイクロフォン１１の出力信号に基づいて音声入力があったことを検出すると、制御装置５に対して音声検出信号を出力する。
【００３７】
カメラセンサ１４は、カメラ１３が動作状態のとき、制御装置５に対してカメラ動作信号を出力する。
【００３８】
制御装置５は、次のような機能を有する。
【００３９】
・加速度センサ８の検出結果に基づいて、自携帯無線装置の姿勢が垂直であるのか、水平であるのかを判定する機能。
・スイッチセンサ１０からのスイッチ操作検出信号に基づいて、スイッチ９が高頻度で操作されているか否かを判定する機能。
・音声センサ１２からの音声検出信号に基づいて、マイクロフォン１１から音声が高頻度で入力されているか否かを判定する機能。
・カメラセンサ１４からのカメラ動作信号に基づいて、カメラ１３が動作中であるか否かを判定する機能。
・上記各判定結果と、テーブル７の内容とに基づいて、第１、第２のアンテナ１、２の内のどちらを使用するのかを決定する機能。
・第１のアンテナ１を使用すると決定した場合には、切り替えスイッチ３に対する制御信号を“１”とし、第２のアンテナ２を使用すると決定した場合には、制御信号を“０”とする機能。
【００４０】
テーブル７には、各センサ８、１０、１２、１４の検出結果に対応する制御装置５の判定結果の組み合わせの内の、予め定められている第１の組み合わせ毎に、使用するアンテナを示すアンテナ情報が登録されると共に、上記第１の組み合わせとは異なる予め定められている第２の組み合わせ毎に、アンテナを切り替えて使用することを示す使用アンテナ情報が登録されている。
【００４１】
なお、上記した各機能を有する制御装置５は、ＣＰＵ（コンピュータ）によって実現可能であり、コンピュータによって実現するためには、例えば、次のようにする。コンピュータに上記各機能を持たせるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に上記した各機能を実現する。
【００４２】
〔第１の実施の形態の動作の説明〕
次に、本実施の形態の動作について説明する。
【００４３】
電源が投入されると、制御装置５は、切り替えスイッチ３に対して出力する制御信号を予め定められている状態にする（ステップＳ３１）。本実施の形態では、制御信号の状態を“１”とする。これにより、切り替えスイッチ３は、第１のアンテナ１と送受信回路４とを接続する。
【００４４】
その後、制御装置５は、加速度センサ８の検出結果に基づいて、携帯無線装置の姿勢が水平であるか、垂直であるかを判定する（ステップＳ３２）。即ち、加速度センサ８から出力されるＺ軸方向の加速度に基づいて、水平面に対するＺ軸の傾きを求め、この傾きと閾値とを比較することにより、姿勢が水平であるか、垂直であるかを判定する。
【００４５】
次に、制御装置５は、スイッチセンサ１０からのスイッチ操作信号に基づいて、スイッチ９が高頻度で操作されているか否かを判定する（ステップＳ３３）。即ち、所定時間内に所定回数以上、スイッチ操作信号が入力されたか否かに基づいて、スイッチが高頻度で操作されているか否かを判定する。
【００４６】
その後、制御装置５は、音声センサ１２からの音声検出信号に基づいて、音声が高頻度で入力されている否かを判定する（ステップＳ３４）。即ち、所定時間内において音声検出信号が入力されている回数が閾値以上であるか否かに基づいて、音声が高頻度で入力されているか否かを判定する。
【００４７】
次に、カメラセンサ１４からのカメラ動作信号に基づいて、カメラ１３が動作中であるか否かを判定する（ステップＳ３５）。
【００４８】
ここで、ステップＳ３２〜Ｓ３５の処理を行うのは、携帯無線装置が備えている各機能の内の、どの機能が現在使用されているかを知るためである。例えば、図４（Ａ）に示すように、ブラウザを使用している場合は、ステップＳ３２〜Ｓ３５の判定結果は、それぞれ「水平」「高頻度」「低頻度」「非動作」となり、同図（Ｂ）に示すように、カメラを使用している場合は、ステップＳ３２〜Ｓ３５の判定結果は、それぞれ「水平」「低頻度」「低頻度」「動作」となり、同図（Ｃ）に示すように、音声通話を行っている場合は、ステップＳ３２〜Ｓ３５の判定結果は、それぞれ「垂直」「低頻度」「高頻度」「非動作」となり、同図（Ｄ）に示すように、テレビ（ＴＶ）電話を利用している場合は、ステップＳ３２〜Ｓ３５の判定結果は、それぞれ「垂直」「低頻度」「高頻度」「非動作」となる。また、待ち受け状態の場合は、ステップＳ３３〜Ｓ３５の判定結果は、それぞれ「低頻度」「低頻度」「非動作」となる。なお、この場合、ステップＳ３２の判定結果は、待ち受け状態中の装置の姿勢に対応したものとなる。例えば、待ち受け状態中の装置の姿勢が図４（Ｅ）に示すものであれば、ステップＳ３２の判定結果は「水平」となる。このように、携帯無線装置のどの機能を利用しているかによって、ステップＳ３２〜Ｓ３５の判定結果の組み合わせは異なるものになる。
【００４９】
また、図４を参照して分かるように、使用する機能によって、ユーザの手によって覆われる部分も異なるものとなる。通常、ブラウザを使用している場合には、図４（Ａ）に示すように、第１、第２のアンテナ１、２の内蔵部分が両方ともユーザの手によって覆われ、カメラを使用している場合には、同図（Ｂ）に示すように、第２のアンテナ２の内蔵部分がユーザに手によって覆われ、音声通話を行っている場合には、同図（Ｃ）に示すように第１のアンテナ１の内蔵部分がユーザの手によって覆われ、テレビ電話を使用している場合には、同図（Ｄ）に示すように第２のアンテナ２の内蔵部分がユーザの手によって覆われ、待ち受け状態の場合は、同図（Ｅ）に示すように、第１、第２のアンテナ１、２の内蔵部分はユーザに手に覆われていない。
【００５０】
従って、カメラ使用時およびテレビ電話使用時には第１のアンテナ１が最も利得の高いアンテナとなり、音声通話時には、第２のアンテナ２が最も利得の高いアンテナとなる。また、ブラウザ使用時および待ち受け状態においては、第１、第２のアンテナ１、２の利得は同程度となる。
【００５１】
そこで、テーブル７には、図５に示すように、音声通話時、カメラ使用時、テレビ電話使用時にステップＳ３２〜Ｓ３５において得られると予測される判定結果の組み合わせに対応付けて、最もアンテナ利得が高くなるアンテナを示す使用アンテナ情報を登録しておく。更に、ブラウザ使用時および待ち受け状態のときにステップＳ３２〜Ｓ３５で得られると予測される判定結果の組み合わせに対応付けてアンテナを切り替えることを示す使用アンテナ情報を登録しておく。なお、ブラウザ使用時、待ち受け状態に対応する使用アンテナ情報には、前回使用したアンテナを示す情報（前回使用アンテナ情報）も含まれ、初期状態においては、例えば、第１のアンテナ１を示すものになっている。
【００５２】
再び図３に戻り、制御装置５は、ステップＳ３５の処理が終了すると、ステップＳ３２〜Ｓ３５の判定結果と、テーブル７の内容とに基づいて、送受信回路４と接続させるアンテナを決定する（ステップＳ３６）。
【００５３】
このステップＳ３６で行う処理を詳しく説明すると、例えば、次のようになる。
【００５４】
ステップＳ３２〜ステップＳ３５の判定結果の組み合わせがテーブル７に登録されていない場合は、予め定められているアンテナ（例えば、第１のアンテナ１）を使用すると決定する。また、ステップＳ３２〜Ｓ３５の判定結果の組み合わせがテーブル７に登録されており、且つその組み合わせと対になっている使用アンテナ情報が使用するアンテナを示している場合には、そのアンテナを使用すると決定する。また、ステップＳ３２〜Ｓ３５の判定結果の組み合わせがテーブル７に登録され、且つその組み合わせと対になっている使用アンテナ情報が使用するアンテナを切り替えることを示すものである場合は、それに含まれている前回使用アンテナ情報によって示されるアンテナとは別のアンテナを使用すると決定し、前回使用アンテナ情報を今回使用すると決定したアンテナを示すものに書き換える。
【００５５】
今、例えば、ステップＳ３２〜Ｓ３５の判定結果が「垂直」「低頻度」「高頻度」「動作中」であり（テレビ電話使用時）、テーブル７の内容が図５に示すものであれば、ステップＳ３６において、制御装置５は使用するアンテナを第１のアンテナ１と決定する。また、例えば、ステップＳ３２〜Ｓ３５の判定結果が「水平」「高頻度」「低頻度」「非動作」であり（ブラウザ使用時）、テーブル７の内容が図５に示すものであれば、ステップＳ３６において、制御装置５は、使用するアンテナを第２のアンテナ２と決定し、前回使用アンテナ情報をアンテナ２を示すものに書き換える。以上がステップＳ３６で行う処理の詳細である。
【００５６】
次いで、制御装置５は、ステップＳ３６で決定したアンテナを送受信回路４と接続させるための制御信号を切り替えスイッチ３に対して出力し（ステップＳ３７）、その後、再び、ステップＳ３２の処理を行う。例えば、ステップＳ３６において、第１のアンテナ１を使用すると決定した場合には、制御信号を“１”とし、第２のアンテナ２を使用すると決定した場合は、制御信号を“０”とする。
【００５７】
〔第１の実施の形態の効果〕
本実施の形態によれば、携帯無線装置に悪影響を及ぼす距離センサを使用せずに、利得の良いアンテナを利用して無線送受信を行うことが可能になる。その理由は、それぞれが異なる装置状態を検出する複数のセンサ８、１０、１２、１４と、予め定められた検出結果の組み合わせとその組み合わせにおいて使用するアンテナを示す使用アンテナ情報との対が登録されたテーブル７とを備え、上記複数のセンサの検出結果に基づいて上記テーブルを検索し、使用するアンテナを決定するようにしているからである。
【００５８】
即ち、ユーザが利用する機能により、ユーザの手によって覆われる部分は異なるものとなり、その結果、ユーザが利用する機能により、良好なアンテナ特性を得ることができるアンテナは異なるものとなる。ユーザが利用している機能は、装置状態を検出する複数のセンサ８、１０、１２、１４の検出結果の組み合わせに対応するものとな、上記複数のセンサは、装置状態を検出するものであるので、携帯無線装置に悪影響を及ぼさない。従って、上記した構成を備えることにより、携帯無線装置に悪影響を及ぼす距離センサを使用せずに、利得の良いアンテナを利用して無線送受信を行うことが可能になる。
【００５９】
〔第２の実施の形態〕
次に、本発明の第２の実施の形態について説明する。
【００６０】
本実施の形態は、テーブル７の代わりに図６に示すテーブル７ａを使用し、制御装置５が図３のステップＳ３６において、前述した処理の代わりに、後述する処理を行うことにより実現される。
【００６１】
図６に示すようにテーブル７ａには、音声通話時、カメラ使用時、テレビ電話使用時に、ステップＳ３２〜Ｓ３５において得られると予測される判定結果の組み合わせに対応付けて、その時に最もアンテナ利得が高くなるアンテナを示す使用アンテナ情報が登録されているだけであり、第１の実施の形態のように、ブラウザ使用時および待ち受け状態のときにステップＳ３２〜Ｓ３５において得られると予測される判定結果の組み合わせは登録されていない。なお、図６において、スイッチ操作に関する項目は、その内容が全て「低頻度」となっているので、省略してもよい。
【００６２】
また、本実施の形態では制御装置５は、ステップＳ３６の代わりに次の処理を行う。ステップＳ３２〜ステップＳ３５の判定結果の組み合わせがテーブル７ａに登録されていない場合は、予め定められているアンテナ（例えば、第１のアンテナ１）を使用すると決定する。また、ステップＳ３２〜Ｓ３５の判定結果の組み合わせがテーブルに登録されている場合には、その組み合わせに対応付けて登録されている使用アンテナ情報によって示されるアンテナを使用すると決定する。
【００６３】
〔第２の実施の形態の効果〕
本実施の形態によれば、第１の実施の形態と同様の効果を得ることができる。
【００６４】
〔その他の実施の形態〕
上述した第１、第２の実施の形態では、アンテナの数を２としたが、複数であれば、これに限られるものではない。また、第１、第２の実施の形態では、制御装置５が、各センサ８、１０、１２、１４の検出結果に基づいて「携帯無線装置の姿勢が垂直であるか水平であるか」「スイッチが高頻度で操作されたか否か」「音声が高頻度で入力されたか否か」「カメラ１３が動作中であるか否か」を判定するようにしたが、各センサ８、１０、１２、１４に上記した判定機能を持たせるようにしてもよい。この場合には、制御装置５においてステップＳ３２〜Ｓ３５の判定処理を行うことは不要となる。
【産業上の利用可能性】
【００６５】
本発明は、携帯電話装置などの携帯無線装置において、安定した送受信を行うために有効である。
【図面の簡単な説明】
【００６６】
【図１】本発明にかかる携帯無線装置の第１の実施の形態の構成例を示すブロック図である。
【図２】携帯無線装置の外観図である。
【図３】制御装置５の処理例を示すフローチャートである。
【図４】携帯無線装置が備えている各機能を利用した場合にユーザの手によって覆われる部分を示す図である。
【図５】テーブル７の内容例を示す図である。
【図６】本発明にかかる携帯無線装置の第２の実施の形態で使用するテーブル７ａの内容例を示す図である。
【符号の説明】
【００６７】
１、２…アンテナ
３…切り替えスイッチ
４…送受信回路
５…制御装置
６…記憶装置
７…テーブル
８…加速度センサ
９…スイッチ
１０…スイッチセンサ
１１…マイクロフォン
１２…音声センサ
１３…カメラ
１４…カメラセンサ
【図１】
2008193288.tif 000003
【図３】
2008193288.tif 000004
【図５】
2008193288.tif 000005
【図６】
2008193288.tif 000006
【図２】
2008193288.tif 000007
【図４】
2008193288.tif 000008